(57)【要約】【課題】８種類の規格のメモリカードを接続使用できるコネクタを提供する。【解決手段】コネクタはケース２と絶縁本体１とを含み、絶縁本体はメモリカードを収納するための第１乃至第３の収納スペースを有する。またコネクタは、一方の端部が第１乃至第３の収納スペース内に位置し、他方の端部が絶縁本体の前端又は後端に延出される第１組乃至第５組のカード導電端子１０〜５０と、第３組のカード導電端子３０とケースの間に設けられ、そのうちの一つがケースと互いに接触する第１組のカード保持アーム６０と、第１組のカード導電端子の側方に設けられた第２組のカード保持アーム７と、第１組のカード導電端子の他の側方に設けられた第１の接続アーム８と、第２組のカード導電端子の側方に設けられ且つケースと接触する第２の接続アーム９とを含み、第２の接続アームが絶縁本体に取付けられたときに、第２の接続アームと第１の接続アームとが互いに接触する。【選択図】図１
0003135527.tif 000002
【実用新案登録請求の範囲】
【請求項１】
８種類のメモリカード対応コネクタであって、
該コネクタは、ケースと絶縁本体とを含み、
前記ケースは、前記絶縁本体の最表層を覆い、
前記絶縁本体は、前記ケースと前記絶縁本体の最表層の間にメモリカードを収納するための第１の収納スペースが形成され、該絶縁本体において且つ第１の収納スペースの下に、メモリカードを収納するための第２の収納スペース及び第３の収納スペースが設けられ、前記第１の収納スペースの前記絶縁本体の前端と連なる面には、第１のカードスロットが設けられ、前記第２の収納スペースと前記第３の収納スペースの前記絶縁本体の前端と連なる面には、第２のカードスロットと第３のカードスロットが設けられ、
該コネクタは、
各カード導電端子が両端を有し、第１端部が前記第１の収納スペース内に位置し、第２端部が前記絶縁本体の後端に延出されている第１組のカード導電端子と、
各カード導電端子が両端を有し、第１端部が前記第１の収納スペース内に位置し、その第１の収納スペース内の位置が前記第１組のカード導電端子と比べて絶縁本体の前端により近く、第２端部が前記絶縁本体の後端に延出されている第２組のカード導電端子と、
各カード導電端子が両端を有し、第１端部が前記第２の収納スペース内に位置し、第２端部が前記絶縁本体の前端に延出されている第３組のカード導電端子と、
各カード導電端子が両端を有し、第１端部が前記第３の収納スペース内に位置し、第２端部が前記絶縁本体の前端に延出されている第４組のカード導電端子と、
Ｕ字型端子を含み、各Ｕ字型端子の湾曲端が第１組のカード導電端子の間に間隔おいて挿まれ、各Ｕ字型端子の非湾曲端が前記絶縁本体の前端に延出されている第５組のカード導電端子と、
前記第３組のカード導電端子と前記ケースの間に設けられ、そのうちの一つのカード保持アームがケースと互いに接触する第１組のカード保持アームと、
前記第１組のカード導電端子の側方に設けられた第２組のカード保持アームと、
前記第１組のカード導電端子の他の側方に設けられた第１の接続アームと、
前記第２組のカード導電端子の側方に設けられ且つ前記ケースと互いに接触する第２の接続アームとを更に含み、
前記第２の接続アームが前記絶縁本体に取付けられたときに、該第２の接続アームと前記第１の接続アームとが互いに接触することを特徴とする８種類のメモリカード対応コネクタ。
【請求項２】
請求項１に記載の８種類のメモリカード対応コネクタにおいて、
前記第２の収納スペースと前記第３の収納スペースが重なる部分を有することを特徴とする８種類のメモリカード対応コネクタ。
【請求項３】
請求項１に記載の８種類のメモリカード対応コネクタにおいて、
前記第２組のカード保持アームの各カード保持アームが基部を含み、該基部の一端が延出されて固定部が形成され、該基部の他端が延出され湾曲されて弾性部が形成されていることを特徴とする８種類のメモリカード対応コネクタ。
【請求項４】
請求項３に記載の８種類のメモリカード対応コネクタにおいて、
前記弾性部が、前記第１組のカード導電端子の方向に湾曲した曲線状の突起であること特徴とする８種類のメモリカード対応コネクタ。
【請求項５】
請求項１に記載の８種類のメモリカード対応コネクタにおいて、
前記第１の接続アームが基部を含み、該基部の一端が延出されて固定部が形成され、該基部の他端が延出され湾曲されて弾性部が形成されていることを特徴とする８種類のメモリカード対応コネクタ。
【請求項６】
請求項５に記載の８種類のメモリカード対応コネクタにおいて、
前記弾性部が、前記第１組のカード導電端子の方向に湾曲した曲線状の突起であること特徴とする８種類のメモリカード対応コネクタ。
【請求項７】
請求項１に記載の８種類のメモリカード対応コネクタにおいて、
前記絶縁本体の前端で固定される固定パーツを含み、該固定パーツから３本の弾性片が延出されていることを特徴とする８種類のメモリカード対応コネクタ。
【請求項８】
請求項７に記載の８種類のメモリカード対応コネクタにおいて、
前記固定パーツ全体が略長方形片状の構造であることを特徴とする８種類のメモリカード対応コネクタ。
【請求項９】
請求項７に記載の８種類のメモリカード対応コネクタにおいて、
前記３本の弾性片がそれぞれ、前記固定パーツの一方の側にある第１の弾性片と、前記固定パーツのもう一方の側に一定間隔だけ隔てて設けられた第２の弾性片及び第３の弾性片であることを特徴とする８種類のメモリカード対応コネクタ。
【請求項１０】
請求項１に記載の８種類のメモリカード対応コネクタにおいて、
前記第１組のカード保持アームの各カード保持アームがいずれも基部を含み、該基部の一端が延出され湾曲されて弾性部が形成されていることを特徴とする８種類のメモリカード対応コネクタ。
【請求項１１】
請求項１に記載の８種類のメモリカード対応コネクタにおいて、
第１組のカード導電端子は１１本の端子を含み、第２組のカード導電端子は９本の端子を含み、第３組のカード導電端子は８本の端子を含み、第４組のカード導電端子は１０本の端子を含み、第５組のカード導電端子は４本の端子を含むことを特徴とする８種類のメモリカード対応コネクタ。
【考案の詳細な説明】
【技術分野】
【０００１】
本考案はコネクタに係り、特に８種類の異なるメモリカードに用いられるコネクタに関する。
【背景技術】
【０００２】
１９８８年にＮＯＲフラッシュメモリが発明され、このときからフラッシュメモリの時代に入っている。フラッシュメモリは高いリード／ライト特性、長い使用寿命、及び使用に便利というメリットがあるため、フラッシュメモリは電子機器において広範に応用され、電子機器の本体の回路と記憶媒体としての規格の異なるフラッシュメモリカードをマッチングさせるのに用いられる。数多くのフラッシュメモリカードの中で、ＳＤカード、ＭＭＣカード、及びメモリースティックの３種の規格の製品が主導的地位を占めている。現在、最も小さいサイズは、いずれもｍｉｃｒｏタイプであり、ミリメートル単位で長さ×幅×厚さを表せば、ＳＤカードのｍｉｃｒｏタイプは１５×１１×１であり、ＭＭＣカードのｍｉｃｒｏタイプは１４×１２×１．１であり、メモリースティックのｍｉｃｒｏタイプは１５×１２．５×１．２であり、これら三者のサイズは接近しているが、規格が異なっているので、ＳＤカードのｍｉｃｒｏタイプは８個の接触片を有し、ＭＭＣカードのｍｉｃｒｏタイプは１０個の接触片を有し、メモリースティックのｍｉｃｒｏタイプは１１個の接触片を有している。
【０００３】
中国特許第２００４２０００７１３２．９号は改良した端子構造を開示しており、主として、本体の一端には、外方に向かってメモリカードが挿入されるスロットが設けられ、他端には、ＳＭＣカード、ＭＳカード、ＳＤカード、ＭＭＣカードの第１端子、第２端子及び第３端子がそれぞれ接続される固定の端子孔と端子台が設けられ、各端子の主部には後方に向かって支持脚が設けられ、各支持脚の末端で折り曲げられてはんだ付け部分が形成され、第１、２、３端子の支持脚は、端子の主部からそれぞれ側方（左側又は右側）に向かってそれ、折れ曲がって設けられて互いに接触せず、３種類の端子のはんだ付け部分が整然と並んで設置されている。
【０００４】
これらの従来技術は、２種類以上のフラッシュメモリカードを一つの電子機器で使用するということを実現できるが、一つの電子機器において、より多くの規格のメモリカードと互換して使用するということを満足できるものではなかった。
【特許文献１】中国特許第２００４２０００７１３２．９号明細書
【考案の開示】
【考案が解決しようとする課題】
【０００５】
本考案の目的は従来技術に不足しているところを克服することにあり、電子機器のために、既存の８種類の規格のメモリカードを接続して使用するコネクタを提供することを目的とする。
【課題を解決するための手段】
【０００６】
上記目的を達成するために、請求項１の考案は、８種類のメモリカード対応コネクタであって、該コネクタは、ケースと絶縁本体とを含み、前記ケースは、前記絶縁本体の最表層を覆い、前記絶縁本体は、前記ケースと前記絶縁本体の最表層の間にメモリカードを収納するための第１の収納スペースが形成され、該絶縁本体において且つ第１の収納スペースの下に、メモリカードを収納するための第２の収納スペース及び第３の収納スペースが設けられ、前記第１の収納スペースの前記絶縁本体の前端と連なる面には、第１のカードスロットが設けられ、前記第２の収納スペースと前記第３の収納スペースの前記絶縁本体の前端と連なる面には、第２のカードスロットと第３のカードスロットが設けられ、該コネクタは、各カード導電端子が両端を有し、第１端部が前記第１の収納スペース内に位置し、第２端部が前記絶縁本体の後端に延出されている第１組のカード導電端子と、各カード導電端子が両端を有し、第１端部が前記第１の収納スペース内に位置し、その第１の収納スペース内の位置が前記第１組のカード導電端子と比べて絶縁本体の前端により近く、第２端部が前記絶縁本体の後端に延出されている第２組のカード導電端子と、各カード導電端子が両端を有し、第１端部が前記第２の収納スペース内に位置し、第２端部が前記絶縁本体の前端に延出されている第３組のカード導電端子と、各カード導電端子が両端を有し、第１端部が前記第３の収納スペース内に位置し、第２端部が前記絶縁本体の前端に延出されている第４組のカード導電端子と、Ｕ字型端子を含み、各Ｕ字型端子の湾曲端が第１組のカード導電端子の間に間隔おいて挿まれ、各Ｕ字型端子の非湾曲端が前記絶縁本体の前端に延出されている第５組のカード導電端子と、前記第３組のカード導電端子と前記ケースの間に設けられ、そのうちの一つのカード保持アームがケースと互いに接触する第１組のカード保持アームと、前記第１組のカード導電端子の側方に設けられた第２組のカード保持アームと、前記第１組のカード導電端子の他の側方に設けられた第１の接続アームと、前記第２組のカード導電端子の側方に設けられ且つ前記ケースと互いに接触する第２の接続アームとを更に含み、前記第２の接続アームが前記絶縁本体に取付けられたときに、該第２の接続アームと前記第１の接続アームとが互いに接触することを特徴とする。
【０００７】
請求項２の考案は、請求項１に記載の８種類のメモリカード対応コネクタにおいて、前記第２の収納スペースと前記第３の収納スペースが重なる部分を有することを特徴とする。
【０００８】
請求項３の考案は、請求項１に記載の８種類のメモリカード対応コネクタにおいて、前記第２組のカード保持アームの各カード保持アームが基部を含み、該基部の一端が延出されて固定部が形成され、該基部の他端が延出され湾曲されて弾性部が形成されていることを特徴とする。
【０００９】
請求項４の考案は、請求項３に記載の８種類のメモリカード対応コネクタにおいて、前記弾性部が、前記第１組のカード導電端子の方向に湾曲した曲線状の突起であること特徴とする。
【００１０】
請求項５の考案は、請求項１に記載の８種類のメモリカード対応コネクタにおいて、前記第１の接続アームが基部を含み、該基部の一端が延出されて固定部が形成され、該基部の他端が延出され湾曲されて弾性部が形成されていることを特徴とする。
【００１１】
請求項６の考案は、請求項５に記載の８種類のメモリカード対応コネクタにおいて、前記弾性部が、前記第１組のカード導電端子の方向に湾曲した曲線状の突起であること特徴とする。
【００１２】
請求項７の考案は、請求項１に記載の８種類のメモリカード対応コネクタにおいて、前記絶縁本体の前端で固定される固定パーツを含み、該固定パーツから３本の弾性片が延出されていることを特徴とする。
【００１３】
請求項８の考案は、請求項７に記載の８種類のメモリカード対応コネクタにおいて、前記固定パーツ全体が略長方形片状の構造であることを特徴とする。
【００１４】
請求項９の考案は、請求項７に記載の８種類のメモリカード対応コネクタにおいて、前記３本の弾性片がそれぞれ、前記固定パーツの一方の側にある第１の弾性片と、前記固定パーツのもう一方の側に一定間隔だけ隔てて設けられた第２の弾性片及び第３の弾性片であることを特徴とする。
【００１５】
請求項１０の考案は、請求項１に記載の８種類のメモリカード対応コネクタにおいて、前記第１組のカード保持アームの各カード保持アームがいずれも基部を含み、該基部の一端が延出され湾曲されて弾性部が形成されていることを特徴とする。
【００１６】
請求項１１の考案は、請求項１に記載の８種類のメモリカード対応コネクタにおいて、第１組のカード導電端子は１１本の端子を含み、第2組のカード導電端子は9本の端子を含み、第3組のカード導電端子は8本の端子を含み、第4組のカード導電端子は１0本の端子を含み、第5組のカード導電端子は4本の端子を含むことを特徴とする。
【考案の効果】
【００１７】
従来技術と比較して、本考案に係る８種類のメモリカード対応コネクタは、電子機器のために、既存の８種類の規格のｍｉｃｒｏタイプのメモリカードを接続して使用することができ、同時に本考案はフールプルーフの作用を備える。
【考案を実施するための最良の形態】
【００１８】
以下、図面と結びつけて本考案について更に詳細に説明する。図１乃至図４に示されるように、８種類のメモリカード対応コネクタは、絶縁本体１と、金属ケース２と、第１組のカード導電端子１０と、第２組のカード導電端子２０と、第３組のカード導電端子３０と、第４組のカード導電端子４０と、第５組のカード導電端子５０と、固定パーツ６と、第１組のカード保持アーム６０と、第２組のカード保持アーム７と、第１の接続アーム８と第２の接続アーム９とを含んでいる。
【００１９】
金属ケース２は絶縁本体１の最表層を覆い、絶縁本体１の最表層との間にメモリカードを収納するための第１の収納スペースが形成され、該絶縁本体１において、第１の収納スペースの下に、メモリカードを収納するための第２の収納スペース及び第３の収納スペースが設けられ、この第１の収納スペースの絶縁本体１の前端と連なる面には、第１のカードスロット３が設けられ、第２の収納スペースと第３の収納スペースの絶縁本体１の前端と連なる面には、それぞれ第２のカードスロット４と第３のカードスロット５が設けられている。即ち、３つのカードスロットは、絶縁本体１の一つの面にある。また、第２の収納スペースと第３の収納スペースは重なる部分を有することが好ましい。
【００２０】
第１組のカード導電端子１０は１１本の端子を含み、各端子が両端を有し、第１端部がこの第１の収納スペース内に位置し、第２端部が絶縁本体１の後端に延出されている。
【００２１】
第２組のカード導電端子２０は９本の端子を含み、各端子が両端を有し、第１端部がこの第１の収納スペース内に位置し、その第１の収納スペース内の位置が第１組のカード導電端子１０と比べて絶縁本体１の前端により近く、第２端部が絶縁本体１の後端に延出されている。
【００２２】
第３組のカード導電端子３０は８本の端子を含み、各端子が両端を有し、第１端部がこの第２の収納スペース内に位置し、第２端部が絶縁本体１の前端に延出されている。
【００２３】
第４組のカード導電端子４０は１０本の端子を含み、各端子が両端を有し、第１端部がこの第３の収納スペース内に位置し、第２端部が絶縁本体１の前端に延出されている。
【００２４】
第５組のカード導電端子５０は４本のＵ字型端子を含み、各Ｕ字型端子の湾曲端が第１組のカード導電端子１０の間に間隔おいて挿まれ、各Ｕ字型端子の非湾曲端が絶縁本体１の前端に延出されている。
【００２５】
固定パーツ６は絶縁本体１の前端で固定され、この固定パーツ６全体は略長方形片状の構造である。また、この固定パーツ６から３本の弾性片が延出されており、これら３本の弾性片はそれぞれ、固定パーツ６の一方の側にある第１の弾性片６２と、固定パーツ６のもう一方の側に一定間隔だけ隔てて設けられた第２の弾性片６３及び第３の弾性片６４からなる。
【００２６】
第１組のカード保持アーム６０は第３組のカード導電端子３０とケース２の間に設けられ、この第１組のカード保持アーム６０は２本のカード保持アーム６０１，６０２を含んでいる。このカード保持アーム６０１とケース２は互いに接触している。各カード保持アーム６０１，６０２は基部６０１１，６０２１を含み，この基部６０１１，６０２１から延出され２つの取付用の突起が形成されている。この基部６０１１，６０２１の一端は延出されて弾性部６０１２，６０２２を形成し、この２つの弾性部６０１２，６０２２の形状は、互いに離れるように折り曲げられた曲線状の突起である。
【００２７】
第２組のカード保持アーム７は２つのカード保持アーム７１，７２を含み、第１組のカード導電端子１０の側方に設けられている。カード保持アーム７１はカード保持アーム７２より短くなっている。各カード保持アーム７１，７２は基部７１１，７２１を含み、該基部７１１、７２１の一端が延出されて固定部７１１１，７２１１が形成され、該基部７１１、７２１の他端が延出され湾曲されて弾性部７１２，７２２が形成されている。この２つの弾性部７１２，７２２は、第１組のカード導電端子１０の方向に湾曲した曲線状の突起である。
【００２８】
第１の接続アーム８は、第１組のカード導電端子１０の他の側方に設けられている。この第１の接続アーム８は基部８１を含み、該基部８１の一端が延出されて固定部８１１が形成され、該基部８１の他端が延出され湾曲されて弾性部８２が形成されている。この弾性部８２は、第１組のカード導電端子１０の方向に湾曲した曲線状の突起である。
【００２９】
第２の接続アーム９は、第２組のカード導電端子２０の側方に設けられ、且つ、ケース２と互いに接触する。第２の接続アーム９が絶縁本体１に取付けられたときに、この第２の接続アーム９と第１の接続アーム８とが互いに接触する。即ち、絶縁本体１から言えば、第１の接続アーム８と第２の接続アーム９は同じ側にある。
【００３０】
図３に示されるように、第１組のカード導電端子１０、第２組のカード導電端子２０、第３組のカード導電端子３０、第４組のカード導電端子４０及び第５組のカード導電端子５０が、全て収納スペース内に差し込まれた後、固定パーツ６が絶縁本体１に取付けられる。第１組のカード保持アーム６０の２つのカード保持アーム６０１，６０２は、それぞれ第２の収納スペースと第３の収納スペースの中に挿入され、且つ、基部６０１１，６０１２が固定パーツ６に接続される。第１の弾性片６２、第２の弾性片６３及び第３の弾性片６４はそれぞれ第１のカードスロット３、第２のカードスロット４及び第３のカードスロット５に置かれている。図４及び図５に示されるように、更にケース２が装着された後、第２の接続アーム９とケース２が互いに接触して、一つの電気的に接続された回路が形成される。
【００３１】
メモリカードを対応する収納スペースに挿入した際に、第１組のカード保持アーム６０の突起状の弾性部６０１１，６０２１、第２組のカード保持アーム７の突起状の弾性部７１２，７２２及び第１の接続アーム８の突起状の弾性部８２は、メモリカードに対応して接触し、これらの曲線状の突起は、メモリカードによって両脇に押出され、ケース２と接触する。
【００３２】
本考案が用いられる際、図６乃至図９に示されるように、第１の収納スペース内には、ＳＤカード、ＭＭＣカード、ＭＭＣ４．０カード、ＲＳＭＭＣカード、ＲＳＭＭＣ４．０カード及びＭｉｎｉＳＤカードの６種類のカードを挿入することができる。
【００３３】
図１０（ａ）（ｂ）に示されるように、第２の収納スペース内には、ＭｉｃｒｏＭＭＣカードを挿入することができる。図１１（ａ）（ｂ）に示されるように、第３の収納スペース内には、ＭｉｃｒｏＳＤカードを挿入することができる。
【００３４】
上述したように、本コネクタは、合わせて８種類の異なるメモリカードを挿入することができる。
【００３５】
図１２（ａ）（ｂ）に示されるように、第１の収納スペース内に、ＳＤカード、ＭＭＣ／ＲＳＭＭＣカード、ＭＭＣ４．０／ＲＳＭＭＣ４．０カードを挿入した後、第１の接続アーム８及び第２組のカード保持アーム７のカード保持アーム７２はケース２と接触し、このようにして、一つの電気的な接続が形成される。一方、ＭｉｎｉＳＤカードが挿入されたとき、第１の接続アーム８と第２組のカード保持アーム７のカード保持アーム７２はケースと接触しない。第１の接続アーム８と第２の接続アーム９が接触し、第２組のカード保持アーム７のカード保持アーム７１とケース２が接触する。
【００３６】
図１３（ａ）（ｂ）に示されるように、ＭＭＣ／ＲＳＭＭＣ／ＳＤカードを挿入した際、第２組のカード導電端子２０の９つの端子は、ＭＭＣ／ＲＳＭＭＣ／ＳＤカードの９つの金属端子部分（Ｇｏｌｄｅｎ  Ｆｉｎｇｅｒ）に対応する。ＭＭＣ４．０／ＲＳＭＭＣ４．０を挿入した際、第２組のカード導電端子２０の９つの端子と第５組のカード導電端子５０の４つの端子は、ＭＭＣ４．０／ＲＳＭＭＣ４．０の１３本の金属端子部分に対応する。
【００３７】
本コネクタが使用される際、外部のコンポーネントに接続されて、ケース２がアース線に接続され、同時にケース２が第２の接続アーム９とカード保持アーム６０１に接続されるので、上述したメモリカードの一つが相応の収納スペースに挿入されたとき、このカードについて、相応の接地回路が形成される。
【００３８】
第２の収納スペースと第３の収納スペースが重なる部分を有するので、第２の収納スペースと第３の収納スペースには、一枚のカードしか挿入できない。第２の収納スペース又は第３の収納スペースにメモリカードを挿入した際、メモリカードは、固定パーツ６の第２の弾性片６３又は第３の弾性片６４に触れる。固定パーツ６全体が弾性材料なので、全体が上に向かって湾曲する。この湾曲によって、第１のカードスロット３がブロックされ、第１のカードスロット３にはメモリカードが挿入できなくなる。同じ理由により、第１の収納スペースにカードがされた後、固定パーツ６が下に向かって湾曲し、第２のカードスロット４及び第３のカードスロット５がブロックされ、第２の収納スペースと第３の収納スペースにカードが挿入できなくなる。このようにして全体として本考案は１枚のカードしか挿入できないことが保証され、本考案に係るコネクタは８枚の異なるメモリカードに互換して使用することができる。
【００３９】
上述した内容は本考案の比較的好ましい実施例に過ぎず、本考案の実施案を制限するものではない。当業者は本考案の主な着想及びその主旨に基づいて、都合の良いように相応の変形や修正をすることができ、本考案の保護範囲は、実用新案登録請求の範囲で要求している保護範囲を基準とすべきである。
【図面の簡単な説明】
【００４０】
【図１】本考案に係る８種類のメモリカード対応コネクタの立体分解図である。
【図２】本考案に係る８種類のメモリカード対応コネクタの別角度の立体分解図である。
【図３】本考案に係る８種類のメモリカード対応コネクタの、ケースのない立体図である。
【図４】本考案に係る８種類のメモリカード対応コネクタの組立て後の立体図である。
【図５】本考案に係る８種類のメモリカード対応コネクタの組立て後の別角度の立体図である。
【図６】（ａ）は本考案に係る８種類のメモリカード対応コネクタにＳＤカードを挿入した後の上面図であり、（ｂ）はその側面図である。
【図７】（ａ）は本考案に係る８種類のメモリカード対応コネクタにＭＭＣ又はＭＭＣ４．０カードを挿入した後の上面図であり、（ｂ）はその側面図である。
【図８】（ａ）は本考案に係る８種類のメモリカード対応コネクタにＲＳＭＭＣ又はＲＳＭＭＣ４．０カードを挿入した後の上面図であり、（ｂ）はその側面図である。
【図９】（ａ）は本考案に係る８種類のメモリカード対応コネクタにＭｉｎｉＳＤカードを挿入した後の上面図であり、（ｂ）はその側面図である。
【図１０】（ａ）は本考案に係る８種類のメモリカード対応コネクタにＭｉｃｒｏＭＭＣカードを挿入した後の上面図であり、（ｂ）はその側面図である。
【図１１】（ａ）は本考案に係る８種類のメモリカード対応コネクタにＭｉｃｒｏＳＤカードを挿入した後の上面図であり、（ｂ）はその側面図である。
【図１２】（ａ）は本考案に係る８種類のメモリカード対応コネクタにＳＤカードを挿入した後の、ケースを装着していない上面図であり、（ｂ）はその側面図である。
【図１３】（ａ）は本考案に係る８種類のメモリカード対応コネクタにｍｉｎｉＳＤカードを挿入した後の、ケースを装着していない上面図であり、（ｂ）はその側面図である。
【符号の説明】
【００４１】
１    絶縁本体
２    金属ケース（ケース）
３    第１のカードスロット
４    第２のカードスロット
５    第３のカードスロット
６    固定パーツ
７    第２組のカード保持アーム
８    第１の接続アーム
９    第２の接続アーム
１０  第１組のカード導電端子
２０  第２組のカード導電端子
３０  第３組のカード導電端子
４０  第４組のカード導電端子
５０  第５組のカード導電端子
６０  第１組のカード保持アーム
【図１】
0003135527.tif 000003
【図２】
0003135527.tif 000004
【図３】
0003135527.tif 000005
【図４】
0003135527.tif 000006
【図５】
0003135527.tif 000007
【図６】
0003135527.tif 000008
【図７】
0003135527.tif 000009
【図８】
0003135527.tif 000010
【図９】
0003135527.tif 000011
【図１０】
0003135527.tif 000012
【図１１】
0003135527.tif 000013
【図１２】
0003135527.tif 000014
【図１３】
0003135527.tif 000015